(57)【要約】【課題】  部品を追加することなく、ディスクを挟持しているときのディスクに対するクランパの接触面積を少なくすることによって、ディスクのプリンタブル面に対するクランパの貼り付きを防止する。【解決手段】  共働してディスクを挟持するターンテーブル１及びクランパ５を備える。クランパ５には円環状のディスク受面５１が備わっている。クランパ５のディスク受面５１の等角度おきの３箇所にディスク受けリブ６を追加し、そのディスク受けリブ６の頂部６１の長手方向Ｘをディスク１００の半径方向に一致させる。ディスク挟持時には、ディスク受けリブ６の頂部６１が、ディスク１００のプリンタブル面１１０の３箇所に線接触する。【選択図】        図２
2008135093.tif 000002
【特許請求の範囲】
【請求項１】
共働してディスクを挟持するターンテーブル及びクランパを備え、そのクランパが上記ディスクのプリンタブル面に接触する円環状のディスク受面を備えている光ディスク駆動装置であって、
ディスクの挟持時に、回転駆動される上記ターンテーブルに載架されたディスクのプリンタブル面の周方向等角度おきの３箇所に上記クランパの円環状のディスク受面の３箇所に一体成形によって突設されたディスク受けリブの頂部が線接触してそのディスクが上記ディスク受面に対して非接触に保たれるように構成されていると共に、上記ディスク受けリブの頂部の長手方向が上記ディスクの半径方向に一致していることを特徴とする光ディスク駆動装置。
【請求項２】
共働してディスクを挟持するターンテーブル及びクランパを備える光ディスク駆動装置であって、ディスクの挟持時に、ターンテーブルに載架されたディスクのプリンタブル面の周方向複数箇所に上記クランパのディスク受面に突設されたディスク受けリブの頂部が線接触してそのディスクが上記ディスク受面に対して非接触に保たれるように構成されていることを特徴とする光ディスク駆動装置。
【請求項３】
上記ディスク受けリブは、その頂部の長手方向が上記ディスクの半径方向に一致している請求項２に記載した光ディスク駆動装置。
【請求項４】
上記ディスク受けリブはその頂部がディスクのプリンタブル面の等角度おきの３箇所に線接触するように上記クランパのディスク受面の３箇所に突設されている請求項２又は請求項３に記載した光ディスク駆動装置。
【発明の詳細な説明】
【技術分野】
【０００１】
本発明は、光ディスク駆動装置、詳しくは、ターンテーブルとクランパとの共働によりディスクを挟持して回転させるようになっている光ディスク駆動装置に関する。
【背景技術】
【０００２】
この種の光ディスク駆動装置の基本的な概略構成を図７及び図８に示してある。図例の光ディスク駆動装置は、ターンテーブル１及びクランパ５を備えていて、ターンテーブル１がモータＭによって回転駆動されるようになっていると共に、ターンテーブル１とクランパ５とが共働してディスク１００を挟持し得るようになっている。すなわち、ディスクトレイ２００に載架されたディスクが、図７のように互いに離間して待機しているターンテーブル１とクランパ５との間に搬入された後、同図矢印Ｕのようにターンテーブル１が上動してディスクトレイ２００からディスク１００を受け取ってクランパ５に押し付けるという動作が行われて図８のようにターンテーブル１とクランパ５とが共働してディスク１００を挟持する。その後、モータＭが始動してターンテーブル１及びクランパ５と共にディスク１００が矢印Ｒのように回転する。そして、回転中のディスク１００に対して、図示していない光ピックアップなどによる光学的処理が行われる。これに対し、ターンテーブル１とクランパ５との共働によるディスク１００の挟持状態を解除するときには、図８の状態からターンテーブル１が下動するのに伴って、クランパ５から離れたディスク１００がターンテーブ１からディスクトレイ２００に受け渡される。そして、ディスクトレイ２００のディスク搬出動作によってディスク１００がテーンテーブル１とクランパ５との間から搬出される。
【０００３】
この光ディスク駆動装置において、光ピックアップなどによる光学的処理は、ターンテーブル１とクランパ５とによって挟持されているディスク１００の片側の記録面に対して行われる。そして、ディスク１００の他側の面は表示面として利用されるようになっていることが多い。
【０００４】
図９は従来の光ディスク駆動装置のクランパ５とディスク１００との接触状態を説明的に示した側面図である。同図のように、従来の光ディスク駆動装置では、クランパ５に円環状のディスク受面５１が備わっていて、図８に示したようにターンテーブル１とクランパ５とが共働してディスク１００を挟持しているときには、クランパ５の円環状のディスク受面５１がディスク１００の他側の面に弾圧状態で接触するようになっている。
【０００５】
一方、光ディスク駆動装置の取扱い対象としてのディスク１００にあっては、クランパ５のディスク受面５１が接触する他側の面がプリンタブル面として形成されているものがあり、そのようなディスク１００では、図６に斜視図で例示してあるように、そのプリンタブル面１１０に、画像をプリントするのに適した所定の処理が行われている。
【０００６】
ところで、図６に示したディスク１００のようにその片側の面がプリンタブル面１１０に形成されているものでは、ターンテーブル１とクランパ５とでディスク１００を挟持させたときに、クランパ５の円環状のディスク受面５１（図９参照）がディスク１００のプリンタブル面１１０に貼り付くという状況の生じることがあり、そのような貼り付きが起こると、ターンテーブル１を下動させてクランパ５との共働による挟持状態を解除させるときにクランパ５がディスク１００から円滑に離れなくなくなって図７に示したディスクトレイ２００へのディスク１００の受け渡しに支障を生じることがある。また、そのような支障を生じると、ディスク１００が受け渡されていないディスクトレイ２００だけがディスク搬出動作を行うことがあり、そのような状況が生じると、ディスク１００の取出しが困難になって当該光ディスク駆動装置に様々な動作トラブルが発生することがある。
【０００７】
この点に関し、従来より、光ディスク駆動装置のクランプ手段と光ディスクとの貼り付きを防止するための研究が行われている（たとえば、特許文献１参照）。そして、特許文献１には、ディスクを挟持する一対のクランプ手段のうちの一方側の被駆動板に、表面を硬化被膜でコーティングした多孔質シート状の弾性基材を配備することによって、クランプ手段と光ディスクとの貼り付きを防止するということが記載されている。
【特許文献１】特開２００４−８７０２５号公報
【発明の開示】
【発明が解決しようとする課題】
【０００８】
しかしながら、図７又は図８を参照して説明した光ディスク駆動装置において、特許文献１によって提案されている技術を利用してクランパとディスクとの貼り付きを防ぐためには、クランパに表面を硬化被膜でコーティングした多孔質シート状の弾性基材を余分に用いる必要があるので、それだけ部品点数や組立工数が増加してコスト高になるという問題がある。
【０００９】
以上の状況の下、本願発明者は、ターンテーブルとクランパとが共働してディスクを挟持しているときのディスクに対するクランパの接触面積を少なくすると、ディスクのプリンタブル面に対するクランパの貼り付きが防止できるであろうと考え、しかも、接触面積を少なくするという対策を講じると、特許文献１に見られるように多孔質シート状の弾性基材を余分に用いる必要性がなくなるであろうと考え、本発明を完成させるに至った。
【００１０】
したがって、本発明は、部品を追加することなく、ディスクを挟持しているときのディスクに対するクランパの接触面積を少なくして上記した貼り付きを防止することのできる光ディスク駆動装置を提供することを目的とする。
【課題を解決するための手段】
【００１１】
本発明に係る光ディスク駆動装置は、共働してディスクを挟持するターンテーブル及びクランパを備える。そして、ディスクの挟持時に、ターンテーブルに載架されたディスクのプリンタブル面の周方向複数箇所に上記クランパのディスク受面に突設されたディスク受けリブの頂部が線接触してそのディスクが上記ディスク受面に対して非接触に保たれるように構成されている。
【００１２】
この構成を備える光ディスク駆動装置によれば、クランパとディスクのプリンタブル面との接触箇所が、クランパ側のディスク受けリブの頂部だけになり、しかも、接触状態が線接触状態になるので、ターンテーブルとクランパとの共働によるディスクの挟持状態を解除させたときにディスクがクランパ側に取り残されるような貼り付きが生じる余地がなくなる。言い換えると、貼り付きが生じないか、あるいは、貼り付きが生じたとしてもその貼り付きの強さが非常に小さくなって実質的には貼り付きが生じていないのと同じ状態が作り出される。しかも、ディスク受けリブがクランパのディスク受面に突設されているという構成を採用したので、そのディスク受けリブをクランパに樹脂で一体成形することが可能になり、そうすることによってディスク受けリブを形成するための余分な部品が不要になる。
【００１３】
本発明において、上記ディスク受けリブは、その頂部の長手方向が上記ディスクの半径方向に一致していることが望ましい。これによれば、ターンテーブルとクランパとが共働して挟持したディスクを、ターンテーブル側からの回転駆動力によって回転させるときにディスク受けリブの頂部がディスクのプリンタブル面に対して滑りにいので、クランパとディスクとの接触面積が極端に少なくなっているにもかかわらず、ターンテーブルやクランパと共にディスクが円滑に回転するようになる。
【００１４】
本発明において、上記ディスク受けリブはその頂部がディスクのプリンタブル面の等角度おきの３箇所に線接触するように上記クランパのディスク受面の３箇所に突設されていることが望ましい。これによれば、ディスク受けリブの数を最少限度に抑えてディスクをがたつきなくターンテーブルとクランパとの共働によって挟持させることが可能になる。
【００１５】
本発明に係る光ディスク駆動装置は、共働してディスクを挟持するターンテーブル及びクランパを備え、そのクランパが上記ディスクのプリンタブル面に接触する円環状のディスク受面を備えている光ディスク駆動装置であって、ディスクの挟持時に、回転駆動される上記ターンテーブルに載架されたディスクのプリンタブル面の周方向等角度おきの３箇所に上記クランパの円環状のディスク受面の３箇所に一体成形によって突設されたディスク受けリブの頂部が線接触してそのディスクが上記ディスク受面に対して非接触に保たれるように構成されていると共に、上記ディスク受けリブの頂部の長手方向が上記ディスクの半径方向に一致している、という構成を採用することによっていっそう具体化される。この発明によれば、図９を参照して説明した円環状のディスク受面５１を備えるクランパ５にディスク受けリブを追加するだけで、上記した各発明による作用が奏されるようになる。
【発明の効果】
【００１６】
本発明によれば、部品を追加することなく、クランパとディスクのプリンタブル面との貼り付きを防止することができるようになると同時に、プリンタブル面を備えていないディスクについても従来と同様の取扱いが可能である。しかも、ディスクのプリンタブル面との貼り付きを防ぐための対策として、ディスクを挟持しているときのディスクに対するクランパの接触面積を少なくするという手段、特に、ディスクのプリンタブル面に対してクランパのディスク受けリブの頂部を線接触状態で接触させるという手段を採用したので、クランパの量産性や当該光ディスク駆動装置の組立性などが損なわれず、また、コスト高を来すことがなくなるという効果が得られる。そして、光ディスク駆動装置のユーザにとっては、クランパにディスクが貼り付いてその搬出動作が行えなくなるという事態が起こらなくなるので、それだけ動作安定性が向上するという利点がある。
【発明を実施するための最良の形態】
【００１７】
図１は本発明の実施形態に係る光ディスク駆動装置に採用されるクランパ５の平面図、図２はクランパ５とディスク１００との接触状態を説明的に示した側面図、図３はクランパ５の要部の縦断側面図、図４はディスク受けリブ６の作用説明図、図５は変形例によるディスク受けリブ６の作用説明図である。
【００１８】
この実施形態に係る光ディスク駆動装置は、図７及び図８を参照して冒頭で説明したところと同様に、モータＭによって回転駆動されるターンテーブル１とその相手方部材であるクランパ５とを備えている。そして、ディスクトレイ２００に載架されたディスク１００が、図７のように互いに離間して待機しているターンテーブル１とクランパ５との間に搬入された後、同図矢印Ｕのようにターンテーブル１が上動してディスクトレイ２００からディスク１００を受け取ってクランパ５に押し付けるという動作が行われ、そのような動作を介して、図８のようにターンテーブル１とクランパ５とが共働してディスク１００を挟持する。その後、モータＭが始動してターンテーブル１及びクランパ５と共にディスク１００が矢印Ｒのように回転する。そして、回転中のディスク１００に対して、図示していない光ピックアップなどによる光学的処理が行われる。これに対し、ターンテーブル１とクランパ５との共働によるディスク１００の挟持状態を解除するときには、図８の状態からターンテーブル１が下動するのに伴って、クランパ５から離れたディスク１００がターンテーブ１からディスクトレイ２００に受け渡される。そして、ディスクトレイ２００のディスク搬出動作によってディスク１００がテーンテーブル１とクランパ５との間から搬出される。なお、光ピックアップなどによる光学的処理は、ターンテーブル１とクランパ５とによって挟持されているディスク１００の片側の記録面に対して行われる。そして、ディスク１００の他側の面は表示面として利用されるようになっていることが多い。
【００１９】
図１〜図４において、５１はクランパ５に備わっている円環状のディスク受面を示し、このディスク受面５１は、図９で説明した従来例では、ディスク１００の他側の面である表示面又はプリンタブル面１１０（図６参照）に接触するようになっていた部分である。
【００２０】
図１及び図２のように、この実施形態では、クランパ５における上記ディスク受面５１の等角度おきの３箇所を選定し、それらの３箇所のそれぞれにディスク受けリブ６を樹脂で一体成形してある。そして、図２〜図４に示されているように、それぞれのディスク受けリブ６は、その頂部６１の長手方向Ｘが円板状のクランパ５の半径方向に一致している。図１には、クランパ５の中心Ｐから半径方向に延びてそれぞれのディスク受けリブ６の頂部６１と平行な線を一点鎖線ａで示してある。また、図３のように、ディスク受けリブ６の内端面６１と外端面６２とは、クランパ５のディスク受面５１の内側と外側に備わっている各傾斜面５２，５３に面一に連続する平坦面として形成されている。
【００２１】
図１〜図４では、その表面が円弧状に形成されている半円柱状のディスク受けリブ６を示してあるけれども、この点は、図５のようにディスク受けリブ６の断面三角形に形成して、その表面に当該ディスク受けリブ６の頂部で屈曲した２つの平坦な傾斜面を具備させた形状になっていてもよい。あるいは、その他の形状、たとえば断面台形状に形成されていてもよい。
【００２２】
上記したディスク受けリブ６を備えるクランパ５を採用した光ディスク駆動装置において、ターンテーブル１とクランパ５とが共働してディスク１００を挟持した状態（図８参照、以下同じ）では、図２、図４、図５のようにディスク１００の他側の面にディスク受けリブ６の頂部６１が接触してディスク受面５１がディスク１００の他側の面から離れて非接触状態に保たれる。このため、ディスク１００の他側の面が仮にプリンタブル面１１０であったとしても、そのプリンタブル面１１０に対するクランパ５側の接触箇所がディスク受けリブ６の頂部６１だけになって従来と比べると接触面積が極端に少なくなり、ディスク受けリブ６の頂部６１がディスク１００のプリンタブル面１１０に貼り付かなくなるか、貼り付いたとしてもその力がきわめて小さくなって実質的には貼り付きが生じていない状態になるという作用が奏される。特に、ディスク受けリブ６はその頂部６１がディスク１００のプリンタブル面１１０に線接触するので、この作用が顕著に発揮される。
。その結果、ターンテーブル１とクランパ５との共働によるディスク１００の挟持状態を解除させたときにディスク１００がクランパ５側に取り残されるような貼り付きが生じる余地がなくなって、ディスク１００がいつでも正常にディスクトレイ２００に受け渡される。したがって、ディスクトレイ２００のディスク搬出動作がクランパ５側に取り残されたディスクによって阻害されるという事態が起こらなくなってその動作安定性が向上する。
【００２３】
また、この実施形態では、ディスク受けリブ６の頂部６１の長手方向Ｘをディスク１００の半径方向に一致させていることにより、ディスク１００の他側の面がプリンダフル面１１０として形成されている場合は勿論、非プリンタブル面すなわち滑りやすい表示面として形成されている場合であっても、ディスク受けリブ６がターンテーブル１と共に回転するディスク１００に対して滑りにくい状態に保たれ、そのために、光ピックアップによる記録再生に際してディスク１００の回転が不安定になるという事態も生じない。
【００２４】
他方、ディスク受けリブ６は、クランパ５に樹脂で一体成形されているために、ディスク受けリブ６を形成するための余分な部品を用いる必要がない。そのため、当該光ディスク駆動装置の組立工程を従来例の場合と同様の手順で行うことができるので、光ディスク駆動装置の量産性が損なわれず、また、組立に際して特別な熟練を必要とするという事態も来さない。
【００２５】
また、この実施形態では、ディスク受けリブ６をディスク受面５１の周方向３箇所に設けてあるけれども、この点は、ディスク受けリブ６をディスク受面５１の周方向３箇所よりも多い等角度おきの箇所に設けてもよい。しかし、実施形態のように、ディスク受面５１の周方向３箇所に設けてあると、ディスク１００ががたつきなく挟持させやすいという利点がある。また、ディスク受けリブ６をディスク受面５１に設ける利点は、ディスク受けリブ６の高さを背低にしておいても、そのディスク受けリブ６の頂部６１がディスク１００のプリンタブル面１１０に接触するとディスク受面５１が確実にフリンタブル面１１０から離れるという点にある。
【００２６】
なお、図１〜図９では、説明の便宜上、同一又は相応する部分に同一符号を付してある。
【図面の簡単な説明】
【００２７】
【図１】本発明の実施形態に係る光ディスク駆動装置に採用されるクランパの平面図である。
【図２】クランパとディスクとの接触状態を説明的に示した側面図である。
【図３】クランパの要部の縦断側面図である。
【図４】ディスク受けリブの作用説明図である。
【図５】変形例によるディスク受けリブの作用説明図である。
【図６】他側の面がプリンタブル面として形成されているディスクの斜視図である。
【図７】ディスクが搬入された状態での光ディスク駆動装置の基本的な概略構成を示した説明図である。
【図８】ターンテーブルとクランパとが共働してディスクを挟持した状態での光ディスク駆動装置の基本的な概略構成を示した説明図である。
【図９】従来の光ディスク駆動装置に採用されているクランパの作用を示した側面図である。
【符号の説明】
【００２８】
１  ターンテーブル
５  クランパ
６  ディスク受けリブ
５１  ディスク受面
６１  ディスク受けリブの頂部
１００  ディスク
１１０  ディスクのプリンタブル面
Ｘ  ディスク受けリブの頂部の長手方向
【図１】
2008135093.tif 000003
【図２】
2008135093.tif 000004
【図３】
2008135093.tif 000005
【図４】
2008135093.tif 000006
【図５】
2008135093.tif 000007
【図６】
2008135093.tif 000008
【図７】
2008135093.tif 000009
【図８】
2008135093.tif 000010
【図９】
2008135093.tif 000011